(57)【要約】【課題】  効率的に特定の偏光を発生する光源の実現。【解決手段】  光源102と、偏光ランダム化エレメントと、光源102からの光を受けるように設置され、光源102からの光のうち第１の平面に偏光方向を有する光126を透過し、異なる平面に偏光方向を有する光122は偏光ランダム化エレメントの方向に反射するように適合された反射型偏光子108とを有する偏光源において、偏光ランダム化エレメントは、反射光122の一部が第１の平面に偏光方向を有する光に変換されて反射型偏光子108を透過するように、反射光122の偏光をランダム化するべく適合され、反射型偏光子は、光源102を少くとも部分的に囲む曲面を有する。【選択図】      図５Ａ
2005346106.tif 000002
【特許請求の範囲】
【請求項１】
光源（１０２）と、
偏光ランダム化エレメントと、
前記光源（１０２）からの光を受けるように設置され、前記光源（１０２）からの光のうち第１の平面に偏光方向を有する光（１２６）を透過し、異なる平面に偏光方向を有する光（１２２）は前記偏光ランダム化エレメントの方向に反射するように適合された反射型偏光子（１０８）と、を有する偏光源において、
前記偏光ランダム化エレメントは、前記反射光（１２２）の一部が前記第１の平面に偏光方向を有する光に変換されて前記反射型偏光子（１０８）を透過するように、前記反射光（１２２）の偏光をランダム化するべく適合され、
前記反射型偏光子は、前記光源（１０２）を少くとも部分的に囲む曲面を有することを特徴とする偏光源。
【請求項２】
前記反射型偏光子（１０８）は、異なる第１と第２の材料を交互に積層した層を有する請求項１に記載の偏光源。
【請求項３】
前記光源（１０２）は拡散光源を含む請求項１に記載の偏光源。
【請求項４】
更に、前記拡散光源の少くとも一方の側に設置された反射体（１０９）を更に有する請求項３に記載の偏光源。
【請求項５】
前記反射体（１０９）が前記拡散光源の周りを少くとも部分的に囲む請求項４に記載の偏光源。
【請求項６】
前記偏光源から放出される偏光を光学的ディスプレイに届けるための手段（１６０，１６１，１６６，１７０，１８０）を更に有する請求項１に記載の偏光源。
【請求項７】
前記光源（１０２）は、蛍光ランプ、白熱ランプ、固体光源、または、エレクトロルミネッセント・ランプを有する請求項１に記載の偏光源。
【発明の詳細な説明】
【技術分野】
【０００１】
本発明は、効率的に特定の偏光を発生するに適した光源に関する。
【背景技術】
【０００２】
多く応用においては、偏光が適正に機能することが要求される。そのような応用の１つの例は、ラップトップ・コンピューター、ハンドヘルド計算器、ディジタル時計、自動車のダッシュボード・ディスプレイ等々のために広く使用される液晶ディスプレイ（ＬＣＤ）のような光学的ディスプレイである。そのような応用の他のものは、コントラスト増およびグレア（glare ）抑制のための作業照明の配置である。
【０００３】
典型的には、偏光を発生するために、光源は１つ以上の吸収性の（absorptive）偏光器に結合される。これらの偏光器は、一方向の偏光を直交方向の偏光より透過させる２色性の色素を使用する。しかし、直交方向の偏光が大いに吸収されるため、実用上の照度が得られないという点において２色性の偏光器は非常に効率が悪い。例えば、典型的な２色性の偏光器は、標準的なディスプレイ・バックライトによって発せれた入射光の約３５〜４５％のみを通す。吸収される光が利用できないので、この非効率さは２色性の偏光器にとって重大な欠点である。例えば、液晶ディスプレイにおいては、吸収された光は、液晶ディスプレイの照度、したがって、液晶ディスプレイの全体的輝度に寄与しない。
【０００４】
真空蒸着された薄膜誘電体偏光器は、２色性の偏光器のように吸収性ではないが、角方向の応答性が低く、設計条件外の波長に対しては、スペクトル透過率が良くないという他の欠点を有する。それに加えて、従来、薄膜誘電体偏光器は、例えば、光学ガラスまたはポリマーのバルク基板のような安定した基板の上に被覆される。したがって、軽量、且つ、小型であることが要求される応用には、嵩張り過ぎであり、且つ、重い。
【０００５】
液晶ディスプレイ照明のための現在の技術においては、非効率な２色性の偏光器の使用以外には偏光制御の試みはなされていない。作業照明および自動車のディスプレイにおけるグレア(glare ）抑制のための現在の技術においても、２色性の偏光器の非効率、および、真空蒸着された薄膜誘電体偏光器の角方向の応答性と嵩張り過ぎのために偏光器は全く使用されない。
【０００６】
EP-A-0552 725 は、光源、パラボリックな反射体からなる集光手段、および、偏光ビーム・スプリッターを含む偏光照明装置を記述する。偏光ビーム・スプリッターは、プリズム基板の上に被覆された、傾けられた誘電性のフィルムを含む。偏光ビーム・スプリッターは光を第１および第２の偏光成分に分ける。第１の偏光は集光手段に戻される。この光は集光手段によって反射され、そして、その際にその光の方向偏光は変えられる。
【０００７】
EP-A-0 573 905は、投影システムのための逆反射(retroreflecting) 型偏光子を記述する。そのシステムは、ＬＣＤディスプレイ・パネル、オーバーヘッド・プロジェクター、そして、オーバーヘッド・プロジェクターのＬＣＤパネルおよび光源の間に逆反射型偏光子および４分の１波長板を含む。逆反射型偏光子は、屈折率が高い材料および屈折率が低い材料を交替に含む光学的スタックと共に、組み立てられた構造を有する２つの表面材料を含む。この組合せは、ｓ偏光をｐ偏光に変換する光リサイクルシステムを作る。
【発明の開示】
【課題を解決するための手段】
【０００８】
ここに記述される本発明の偏光源は、拡散光源（拡散光の光源（diffuse light source))、および、この拡散光源に近接して配置された反射型偏光エレメント(reflective polarization element）を有する。反射型偏光エレメントは、所望の偏光を通し、他の偏光は拡散光源の中に反射して戻す。拒絶された偏光は、拡散光源に反射し戻され、ランダム化される。初めに拒絶された光の幾らかは、所望の偏光に変換されて、反射型偏光エレメントを通して送出される。このプロセスは継続し、所望でない偏光が反射され、続いてランダム化されることをくり返すことにより、偏光源によって発生される所望の偏光の量を増加させる。
【０００９】
上記の拡散光源は、発光領域、そして、光反射、散乱、および、減極領域から成る。その拡散光源は、蛍光ランプ、白熱ランプ、固体の光源（solid-state source) 、または、エレクトロルミネッセント（ＥＬ）光源でもよい。
【００１０】
反射型偏光エレメントは、光学ガラスのバルク基板(bulk substrate)、または、組み立てられた構造を有する表面(structured surface)上に被覆された、傾けられた誘電体フィルムでもよい。反射型偏光エレメントは、また、多層の複屈折ポリマーフィルムでもよい。
【００１１】
代表的な応用においては、偏光源は、液晶ディスプレイ（ＬＣＤ）のような光学的ディスプレイを照らすために使用される。この目的のために、偏光源は、偏光を光学的ディスプレイに到達させる手段と組み合わせて使用される。この手段は、自由空間伝搬、レンズシステム、または、偏光を維持する光ガイドを含むことができる。
【００１２】
偏光源は、また、自動車のダッシュボード・ディスプレイ、あるいは、オフィス照明環境における螢光照明器具のような種々の作業照明の配置において使用されるかもしれない。この時、偏光源は、グレア（glare ）抑制のために、手作業または視覚作業が行なわれている特定の作業位置に照度を提供するように置かれる。
【発明を実施するための最良の形態】
【００１３】
本発明の偏光源の種々の目的、特徴、および、効果は、以下の詳細な説明、および、添付の図面から充分に理解されるであろう。
【００１４】
図１は、本発明の偏光源１００の概略ブロック図を示す。光源１００は、拡散光源１０２、および、該拡散光源に近接して配置された反射型偏光エレメント１０４を含む。
【００１５】
ここで、「拡散光源」とは、偏光および方向に関して、高度の散乱性あるいはランダム性を有する光を発する如何なる光源をも意味する。好適には、拡散光源１０２は、発光領域、そして、光反射、散乱、および、減極領域から成る。本発明の偏光源が使用される応用に応じて、拡散光源１０２は、蛍光ランプ、白熱ランプ、固体の光源（solid-state source) 、または、エレクトロルミネッセント（EL）光源でもよい。典型的なバックライト型液晶ディスプレイにおいて使用されるような、熱陰極放電ランプまたは冷陰極放電ランプのような蛍光ランプにおいて、蛍光体は、上記の機能の全てを提供する。非常によくコリメイトされた光のビームが要求される場合、反射型偏光エレメントは、拒絶された偏光が、発光領域（例えば、フィラメントまたはアーク）に戻って像を作るように構成することができる。発光領域（例えば、フィラメントまたはアーク）は、光源および減極領域の両方として機能する。
【００１６】
反射型偏光エレメント１０４は、ガラス基板、バルク光学部品、または、組み立てられた構造を有する表面上に被覆された誘電体フィルムでもよい。或は、反射型偏光エレメントは、多層の複屈折ポリマーの反射性偏光フィルムでもよい。
【００１７】
図２は、本発明の偏光源の動作を示す断面概略図である。図示の簡単のために、拡散光源１０２および反射型偏光エレメント１０４は平行に配置して示されている。しかし、同じ光学の原則がまた、一般の他の幾何学的配置の場合にも（特に、図３Ａ−図３Ｃおよび図５Ａ−図５Ｄの幾何学的配置に関して）適用できることは理解されるであろう。
【００１８】
拡散光源１０２によって発生された光は光線束１２０によって図示される。この光は、ランダムに偏光し、したがって、偏光成分（ａ）および（ｂ）を有する。この光は、反射型偏光エレメント１０４の上に入射する。反射型偏光エレメント１０４は、第１の偏光（この例では偏光成分（ａ））を通し、直交する偏光（この例では（ｂ））を反射するように構成されている。したがって、光線束１２２によって示される偏光成分（ｂ）の光は反射されるが、光線束１２６によって描写される偏光成分（ａ）の光は反射型偏光エレメント１０４を通過する。比較のために、上記の反射型偏光エレメント１０４を２色性の吸収性偏光器に取り替えたならば通過したであろう光の量に概略対応する光線束１２６も図示している。
【００１９】
好適には、反射型偏光エレメント１０４は高度に効率的であり、反射型偏光エレメント１０４における吸収による全損失は非常に少ない（１パーセントのオーダーである）。この損失した光は光線束１２１として図示している。光線束１２２によって示される拒絶された偏光は反射され、拡散光源１０２に再び入り、その蛍光体において反射する。このために、反射される光の幾らかがランダム化され、偏光成分（ａ）に効果的に変換される。こうして、上記の反射された光は、光線束１２４によって示されるように、両方の偏光成分（ａ）および（ｂ）を有して拡散光源１０２より現れ出る。拡散光源１０２は完全な反射体でない。散乱および吸収のための光損失は光線束１２３によって図示されている。これらの損失もまた低い（２０パーセントのオーダーである）。光線束１２４の中の偏光成分（ａ）の光は、光線束１２７によって示されるように反射型偏光エレメント１０４を通過する。光線束１２４の偏光成分（ｂ）の中の光は反射して拡散光源１０２内に戻され、同様にランダム化される（この反射は図示しない）。
【００２０】
上記の構成は、結果として、所望の偏光を発生するためには非常に効率的なシステムである。拡散光源１０２および反射型偏光エレメント１０４の組み合わせによって実現される反射およびランダム化のくり返しは、光を状態（ｂ）から状態（ａ）に変換するための効率的メカニズムを実現する。従来、吸収されるが故に利用できなかった光を、その代わりに、所望の偏光に変換するという意味において、このシステムは効率的である。こうして、本発明の偏光源では、拒絶された偏光が反射されて、その光源に戻され、ランダム化されるので、その光源から発生された光を、より多く効率的に利用できる。この結果、所望の偏光においてその光源から発生された光の全体量は増加される。所望の偏光の、結果として生ずる量は光線束１２６および１２７によって図示されている。それは、反射型偏光エレメント１０４の代わりに２色性の吸収性偏光器が使われたならば発生されるであろう（光線束１２６によって示された）光の量より５０〜６０パーセント多いかもしれない。
【００２１】
そのシステムの全面的ゲインは、反射型偏光エレメント１０４および拡散光源１０２の効率に依存する。動作性能は、非常に反射性が高く、良くランダム化する拡散光源１０２と、低損失で吸収性の低い反射型偏光エレメント１０４とを用いることによって最大となる。
【００２２】
図３Ａ，３Ｂ，および３Ｃは、反射型偏光エレメントがバルク光学部品を用いて実現された本発明の偏光源１００の断面概略図である。図３Ａにおいては、拡散光源１０２は、偏光ビームスプリッター１１２および誘電体プリズム１１４を含む反射型偏光エレメントに結合される。図３Ｂにおいては、２つの偏光ビームスプリッター１１２ａおよび１１２ｂは、反射型偏光エレメントを形づくる。図３Ｃにおいては、光ガイド１１３のノッチを有する端部１１１は、誘電体フィルムによって被覆される。
【００２３】
図３Ａの実施例の動作は図４Ａに示される。拡散光源１０２は、光線束１３０によって示された、偏光成分（ａ）および（ｂ）を有する光を発生する。偏光ビームスプリッター１１２は、偏光（ａ）の光（光線束１３１）を通過させ、偏光（ｂ）の光（光線束１３２）を誘電体プリズム１１４へ反射する。誘電体プリズム１１４は、その光を反射して拡散光源１０２へ戻し、戻された光は拡散光源１０２にて偏光（ａ）および（ｂ）を含むようにランダム化される（光線束１３３）。ここで、偏光ビームスプリッター１１２は、偏光（ａ）の光（光線束１３４）は通過させるが、偏光（ｂ）（図示しない）の光は再び反射する。したがって、正しくない偏光は再循環され、所望の偏光として発生された光（光線束１３１および１３４）の量を増やすことになる。
【００２４】
図３Ｂの実施例の動作は図４Ｂに図示される。拡散光源１０２は、光線束１３５によって示された、偏光成分（ａ）および（ｂ）を有する光を発生する。偏光ビームスプリッター１１２ａは、偏光（ａ）の光（光線束１３６）を通過させ、偏光（ｂ）の光（光線束１３７）を偏光ビームスプリッター１１２ｂへ反射する。偏光ビームスプリッター１１２ｂは、その光を反射して拡散光源１０２へ戻し、戻された光は拡散光源１０２にて偏光（ａ）および（ｂ）を含むようにランダム化される（光線束１３８）。ここで、偏光ビームスプリッター１１２ａは、偏光（ａ）の光（光線束１３９）は通過させるが、偏光（ｂ）（図示しない）の光は再び反射する。したがって、正しくない偏光は再循環され、所望の偏光として発生された光（光線束１３６および１３９）の量を増やすことになる。図３Ｃの実施例の動作は図３Ｂと同様である。
【００２５】
以上、図３Ａ−３Ｃを参照して説明したバルク光学的反射型偏光エレメントは、重大な量の光を吸収しないという意味において効率的である。しかし、これらは他の欠点を有する。例えば、これらは狭い波長帯域上では効果的であるが、幅広いスペクトル応答を要求される応用には適当でない。また、バルク光学部品は、それが使われるシステムにおいて嵩および重量を増加される。よって、軽量および小さいサイズが必要な所での応用にはふさわしくない。また、バルク光学部品は高価で、それらが使用されるシステムのコストを実質的に増加することがある。
【００２６】
図５Ａ−５Ｄは、反射型偏光エレメントが多層反射性偏光フィルム（ＲＰＦ）１０８を用いて実現された本発明の偏光源１００を示す図である。図５Ａに示された最も一般的な配置においては、多層反射性偏光フィルム１０８が完全に拡散光源１０２を囲むように、拡散光源１０２の周りを覆っている。図５Ｂ−５Ｄの実施例では、拡散光源１０２および多層反射性偏光フィルム１０８に加えて別に反射体を含む。反射体１０９の目的は、拡散光源１０２の一方の側から発生された光を反対側の方向へ向け直すことである。これにより、偏光した光が所定の方向により多く供給される。図５Ｂにおいては、反射体１００（好適には鏡面反射体）は、偏光源１００の一方の側を囲むように向きを定められている。図５Ｃおいては、反射体１０９は、拡散光源１０２および多層反射性偏光フィルム１０８の間に位置する。この配置において、反射体１０９は、薄い層状とするか、あるいは、多層反射性偏光フィルム１０８に取り付けてもよい。図５Ｄにおいては、拡散光源１０２の一方側は、部分的に反射体１０９によって囲み、拡散光源１０２の他方の側は部分的に多層反射性偏光フィルム１０８によって囲む構成を示す。
【００２７】
図５Ａ−５Ｄの実施例では、本願と同一の譲渡人に譲渡された米国特許出願第08/402,041号(1995 年3 月10日出願、「OPTICAL FILM」)に示されているように、好適な反射型偏光エレメント１０８は多層反射性複屈折偏光フィルム（ＲＰＦ）である。典型的な蛍光ランプにおいては、所定の偏光は、反射性偏光フィルムを用いることにより、反射性偏光フィルム無しで同じ光源を使用したときの１．５−１．６倍に増加し、２色性の吸収性偏光器と共に同じ光源を使用した場合と比較するならば更に大きく増加する。２色性の偏光器の場合より吸収は非常に少なく、角度および波長に関する性能も真空蒸着されたバルク光学部品を用いて得られるより優れている。
【００２８】
それに加えて、図５Ａ−５Ｄにおいて示されるように反射性偏光フィルムを拡散光源と組み合わせることにより光源において光を偏光させるので、反射性偏光フィルムの表面の品質に対する要求を緩和する。こうして、反射性偏光フィルムの表面の品質に対する要求が緩和されたため、緩和された製造条件の下で、より少ない反射性偏光フィルムを使用しても、発生される偏光の量は増加する。
【００２９】
好適な反射体１０９は、上記の米国特許出願第08/402,041号にて記述された型の多層の複屈折ミラーである。
【００３０】
図６は、多層スタック２００のセグメントの１例の概略を示す全体図である。この多層スタック２００から好適な反射性偏光フィルムおよび多層ミラーが作られ得る。この図においては、上記の米国特許出願で反射性偏光フィルム１０８の記述において参照されるＸ、Ｙ、および、Ｚ方向を定義する座標系１４６を含んでいる。
【００３１】
図６において示される多層スタック２００は、２つの異なる材料「（Ａ）」および「（Ｂ）」からなる交互の層（ＡＢＡＢ…）から構成されている。多層スタック２００の中の各層は、ｎｘ、ｎｙ、および、ｎｚとして示されたｘ、ｙ、および、ｚ各方向の屈折率を有する。多層スタックの光学的振る舞いは、上記の米国特許出願第08/402,041号にて詳細に記述されているが、ここに簡単に説明する。
【００３２】
フィルムの各層中の屈折率の間のお互いの関係、および、フィルムの各層中の屈折率とフィルム・スタック中の他の層の屈折率との関係が、多層スタックの光学的振る舞いを決定する。反射型の偏光器は、図６に示されるように、そのような多層スタック２００を単一軸の方向に引き伸ばすことによって作られ得る。図６では、引き伸しによって、スタックの中の少くとも１つの材料の屈折率が影響を受ける。単一軸方向の引き伸しは、引き伸し方向に隣接している層の間の屈折率差を生じさせる。結果として得られるスタックは、非引き伸し方向にその偏光面を有する光を通過させるが、引き伸し方向にその偏光面を持っている光は反射する。
【００３３】
多層ミラーは、図６に示されたような多層スタック２００を二軸方向に引き伸ばすことによって作られ得る。多層スタックの二軸方向引き伸しによって両方の拡張方向に屈折率差が生ずる。こうして、両方の偏光面で光の反射率が高くなる。
【００３４】
図７Ａ−７Ｃは、反射性偏光フィルムの１例の透過性能を示す。これらの２個のフィルムは、上記の米国特許出願第08/402,041号において、より詳細に記述されている。
【００３５】
図７Ａの反射性偏光フィルムは、ポリエチレン・ナフタレート（ＰＥＮ）とコポリマー（ｃｏＰＥＮ）の多層スタックである。コポリマーは、７０モル％の２，６−ナフタリン・ジカーボキシレート・メチル・エステル、１５モル％のジメチル・イソフタレート、および、１５モル％のジメチル・ターフタレート、そして、エチレングリコールからなる（米国特許出願第08/402,041号の例10参照）。曲線ａは、非引き伸し方向に偏光面があるときの光の垂直入射時における透過を示し、曲線ｂは、非引き伸し方向に偏光面があるときの光の６０°入射時における透過を示し、曲線ｃは、引き伸し方向に偏光した光の垂直入射時における透過を示す。
【００３６】
図７Ｂの反射性偏光フィルムは、上記PEN およびシンディオタクティック（syndiotactic）ポリスチレン（ｓＰＳ）の多層スタックである（米国特許出願第08/402,041号の例11参照）。曲線ａは、非引き伸し方向に偏光面があるときの光の垂直入射時における透過を示し、曲線ｂは、非引き伸し方向に偏光面があるときの光の６０°入射時における透過を示し、曲線ｃは、引き伸し方向に偏光した光の垂直入射時における透過を示す。
【００３７】
拡散光源内で起こるランダム化によってもまた、入射光の方向は変えられ、かなりの量の光が拡散光源から軸から外れた方向に放出される。したがって、そのような光の反射型偏光エレメント中の経路長は、垂直に近い光の経路長より長い。システムの光学的振る舞いを最適化するために、この効果には注意しなければならない。２色性の偏光器、あるいは、ここに説明されたバルク光学部品による反射型偏光器とは違って、好適な多層反射性偏光フィルム１０８は、軸から外れた方向の光線をより短い波長に適応させるために、垂直入射時において、所望される、より長い波長の方への広帯域の反射を可能にする。
【００３８】
したがって、好適な反射性偏光フィルムを使用している本発明の偏光源の実施例は、いくつかの利点を有する。拡散光源および反射性偏光フィルムによって達成されたその反射およびランダム化のプロセスは、非常に効率的な偏光源を実現する。反射性偏光フィルムによって達成された広帯域の反射率は、幅広いスペクトル範囲において効率が良いということを意味する。それに加えて、反射性偏光フィルムによって、軸から外れた方向の拒絶された偏光の反射率が高くなる。これらの特徴は、反射性偏光フィルム/ 拡散光源の組み合わせを、バルク光学部品を取り入れている実施例に比較して、光のスペクトルのより幅広い範囲において、そして、角度のより幅広い範囲において有用なものとする。
【００３９】
更に、反射性偏光フィルムは軽量で、薄く、そして、フレキシブルである。これは、容積が小さく重量が軽いことを必要としている応用に適する。反射性偏光フィルムは、また、ランプ表面に良く適合し、ランプ製造に組み込まれ得るものである。
【００４０】
好適なミラーは、フィルムが２つの方向に引き伸ばされることを除いては、反射性偏光フィルムと同様に製造される。図７Ｃは、以下のようにして作られた多層ミラーのスペクトルを示す。
【００４１】
ＰＥＮ：ＰＭＭＡ  ミラー
６０１層を含む同時押し出しされたフィルム（coextruded film ）は、同時押し出し（coextrusion ）プロセスを通してシーケンシャルなフラット・フィルム成形システム上で製造された。（６０重量％フェノール／４０重量％ジクロロベンゼンからなり）０．５７ｄｌ／ｇの固有粘度を有するポリエチレン・ナフタレート（ＰＥＮ）は押し出し機Ａによって５１．７ｋｇ（１１４ポンド）／時の速度で押し出された。このうち２９．０ｋｇ（６４ポンド）／時はフィードブロックへ、残りは以下に説明する表皮層(skin layer)へ供給された。ＰＭＭＡ（ICI アメリカ社製のCP-82 ）は押し出し機Ｂによって２７．７ｋｇ（６１ポンド）／時の速度で押し出され、全てフィードブロックへ供給された。ＰＥＮはフィードブロックの表皮層上にあった。エキストルーダーＡによって供給されたと同じタイプのＰＥＮを約１３．６ｋｇ（３０ポンド）／時の速度で計量しながら供給するエキストルーダーＣを使用してフィードブロックの２つの対称な表皮層が同時押し出しされた後、米国特許第3,801,429 号に記述されたようにフィードブロックを使用して１５１層を生成するために、フィードブロック法が使用された。この押し出し生成物は、約６０１層の押し出し生成物を生産する２つの増倍器(multiplier)を通過した。米国特許第3,565,985 号は、同様の同時押し出し増倍器を記述している。この押し出し生成物は、エキストルーダーＡからＰＥＮのトータル速度２２．７ｋｇ（５０ポンド）／時で表皮層を同時押し出ししたもうひとつの装置を通過した。ウェブ（ｗｅｂ）は、ウェブ温度約１３７．８°Ｃ（２８０°Ｆ）、延伸比約３で長さ方向に向けられる。このフィルムは、その後、約３８秒間、１５４．４°Ｃ（３１０°Ｆ）に予熱され、約１１％／秒の速度で延伸比約４．５で横方向に引き抜かれた。それから、このフィルムは、弛緩されることなく、２２６．７°Ｃ（４４０°Ｆ）でヒートセット(heat-set)された。仕上げられたフィルムの膜厚は約７６．２μｍ（３ミル（ｍｉｌ））であった。
【００４２】
図７Ｃの曲線ａに示すように、垂直入射時における帯域は、９９％を超える平均帯域内消失(average in-band extinction)をもって、約３５０ｎｍである。垂直から５０°をなす入射角で、ｓ偏光（曲線ｂ)およびｐ偏光（曲線ｃ）の両方の光が同様の消失を示し、帯域は予想されたように、より短い波長にシフトした。ｓ偏光の帯域の赤端は、ｓ偏光に対して予想された、より大きい帯域のために、ｐ偏光程には青色側へシフトされない。
【００４３】
図８Ａは、本発明の偏光源１００、および、偏光源１００から発生された偏光を付随する光ディスプレイに供給するための光ガイド１６０を示す。好適には、光ガイドにおいて偏光制御を最大にするために、偏光源は光をＹＺ（１５９ａ）またはＸＺ（１５９ｂ）平面内に偏光させる。本発明の目的のために、光ガイド１００は、好適には、偏光源１００によって発生された光の偏光状態を維持する能力を有する。この条件を満たす光ガイドは、本発明の目的にふさわしい。
【００４４】
図８Ｂ−８Ｄは、光ガイドの３つの例１６１、１６６、および、１７０と共に本発明の偏光源１００を示す。上に説明したように、好適には、本発明の偏光源１００と共に使用される光ガイドは、偏光源１００によって発生された光の偏光状態を維持する。図８Ｂ−８Ｄに示された光ガイドの例の各々は、この偏光維持の特徴を満たしている。図８Ｂ−８Ｄに示された光ガイドは図示の目的のためにのみ示されているものであって、本発明の偏光源と共に使用されるに適した光ガイドを制限することを意図するものではないことは理解されるであろう。逆に、上述のように、本発明の精神および意図する範囲から逸脱することなく、偏光維持の要求を満足している如何なる光ガイドも、図８Ｂ−８Ｄに示される光ガイドのいずれに対しても、その代りとすることができる。
【００４５】
光ガイド８Ｂ−８Ｄは、典型的にはアクリルから製造されるが、如何なる光学的材料からも製造され得る。応力によって誘発される複屈折を確実に除くために、光ガイドは、透明な液体またはゲルの誘電材料で満たすことができる。
【００４６】
図８Ｂに示されるファセット（小平面または刻面）を刻んだ光ガイド、および、図８Ｃに示される階段状楔光ガイド型光ガイドは、同様に光を導く。光線は、内部全反射によってそのガイドに沿って反射される。その光線は、（図８Ｂの中の小平面１６３または図８Ｃの中の小平面１６５のような）ファセットに到達するまでは反射を続ける。このファセットは、光を反射して、光ガイドの対向する界面を通して放出する。これらの光ガイドは、いずれも鏡面または拡散型の後部反射体(specular or diffuse back reflector)無しで、ファセットの反対側の界面を通して、その光の多くを放出するように設計される。後部反射体を加えることによって、光ガイドの前端界面を通して導かれる光の量が増加する。
【００４７】
図８Ｂのファセットを刻まれた光ガイドは、そのガイドの長さ全体にわたって一様に光を取り出せるように一定の厚さに設計される。ファセットの角度は162 として示されている。各ファセットに当たる光は、角度分布において実質的に同一で、強度においてのみ異なると仮定されている。図８Ｂにおいては、ファセットの間隔は、この一様性を提供するためにガイドの長さに沿って変えられる。ガイドの末端でファセットは互いにより接近する。ファセットの深さもまた、この一様性を提供するためにガイドの長さに沿って変えられ得る。ガイドから所定の光量が、所定のレート(rate)で導き出され、所定のサイズのガイドに対して所定の角領域に向けられるように、ファセットの間隔、ファセットの深さ、そして、ファセットの角度が選択される。
【００４８】
図８Ｃの階段状光ガイドは、一連の一様の間隔に配置された（ファセット１６５のような）４５度ファセットと、それらの間に配置され、ガイドの最上部界面に平行である一連の平面とを有する。導き出しのレートは、一般には、より接近して複数のファセットを設けることによるよりむしろ、ガイド厚さを減らすことによって制御される。
【００４９】
図８Ｄに示された楔光ガイドは、入射する光線角度が、内部全反射の臨界角をちょうど越えるような角度になるように強制することによって光を導き出す。それから、この光は、狭い円錐体の範囲内で、ガイドから放出され、同じ量の光のパワーがより大きい角に分布されたときと比較して、より高い輝度を生じさせる。放出された光の約半分は、ガイドの最上部界面から直接放出される。残りの光は、このガイドの底界面から放出される。別途失われた光の方向を変えて、ガイドの最上部界面を通して戻すために、高い反射率の鏡面反射ミラー（図示されない）が使用され得る。
【００５０】
図８Ｄに示されるように、光がそのランプから末端へ伝播するにつれて、楔光ガイドの厚さは減少する。楔角は、角度１７２によって示される。光導き出しのレートは、楔角１７２、および、変化しているガイドの厚さによって制御される。楔角をより大きくすることにより、光をガイドから導き出されるレートが増加する。
【００５１】
どのガイドが最もよく特定の応用に適しているか決めるために、いくつかのファクターが考慮されなければならない。これらのファクターは、視角、輝度、効率、製造の容易さ、光学的設計の柔軟性、他の幾何学的配置に対する有用性、および、簡素さを含む。
【００５２】
本発明の偏光源および偏光を維持する光ガイドが所望の偏光の量を増やすので、付随する光学的ディスプレイに取り付けられていた２色性の吸収性偏光器の必要性は少なくなる。
【００５３】
図９は、トランスフレクティブ(transflective) な光学的ディスプレイに有用な配置における本発明の偏光源１００を示す。そのようなディスプレイは、そのディスプレイが偏光源１００によって照らされる透過モード( バックライト・モード) 、或は、または、そのディスプレイが周囲の照明条件の下に前から照らされる反射モードで見られ得る。
【００５４】
透過モードにおいては、偏光源１００は、光線１８６によって示されるように、偏光を維持する光ガイド１８０に光を入射する。偏光を維持する光ガイド１８０は、ここまでに図８Ａ−８Ｄを参照して記述した光ガイドの何れか１つでもよく、あるいは、入射された光の偏光を維持する他のどのような光ガイドでもよい。好適には、光の散乱およびランダム化の量を増やすために、拡散反射体(diffuse reflector)１０９を偏光源１００の後に設ける。入射された光は、光ガイド１８０にて反射され、光ガイド１８０の外へ出されて付随する光学的ディスプレイを照明する。
【００５５】
反射モードでの使用のためには、ブラシ研磨された金属または他の拡散反射面１８２を光ガイド１８０の後に設ける。光線１８４によって示される周囲の光は付随する光学的ディスプレイを通り抜け、光ガイド１８０を通って、そして表面１８２で反射される。散乱光は、付随する光学的ディスプレイを見るためのコントラストを提供する。
【００５６】
したがって、本発明の偏光源は、多くの特徴および利点を有する。ディスプレイ輝度は、視角、ディスプレイ面積、その吸収損、および、その偏光を調節することによって制御される。本発明の偏光源によれば、光源にて直ちに光を偏光させることによって、所望の輝度、視角、および、ディスプレイ面積を提供するように残りの変数を独立に最適化することができる。
【００５７】
図１０Ａは、作業照明の状況において典型的な偏光されない光源１９０を使用することに伴うグレア(glare) の問題を示す。光線１９３によって示された偏光（ａ）の光は（コンピューター・モニターのような）作業照明界面を通過し、他方、光線１９９によって示された偏光（ｂ）の光は反射され、グレアを生ずる。しかし、図１０Ｂにおいては、本発明の偏光源１００が使われる。この配置では、偏光源から発生された光のうち非常に高い割合が光線１９５によって示された偏光（ａ）であって通過するので、グレアは減らされる。
【００５８】
図１０Ｃは、自動車ダッシュボード・ディスプレイのような作業照明の状況を示す。反射型偏光エレメント１０４は、典型的な自動車ダッシュボード・ディスプレイのエレクトロルミネッセント（ＥＬ）パネルの上に置かれる。反射型偏光エレメント１０４無しでは、フロン（登録商標）トガラス(windshield)１９６においてグレアが起こる。しかし、反射型偏光エレメント１０４によって、光線１９７によって示した光の全てが同一の偏光をし、したがって、反射してグレアを生ずる代わりに、フロン（登録商標）トガラス１９６を通過する。
【００５９】
図１１Ａは、オフィス照明環境において使用されるような螢光照明器具の中の偏光源の実施例を示す。この実施例においては、螢光照明器具は、螢光灯ランプ１０２および反射体１０９を含む。ＲＦＰ１０８は、螢光照明器具の出力側で散乱グリッド(diffusing grid)１１１の上に置かれる。好適には、反射体１０９は、図７Ｃを参照して説明したような多層ミラーである。
【００６０】
グレア削減が要求されない、あるいは、必要でない応用においては、図１１Ｂの実施例が使用され得る。この実施例において、拡散グリッド(diffusing grid)１１１に覆われた螢光照明器具内で、螢光灯の光源１０２は多層ミラー１０９によって後側で反射される。図１１Ａおよび図１１Ｂの実施例において、照明器具内で伝統的に使用される蒸着(vapor coated)金属ミラーに比較して、多層ミラーには、いくつかの利点がある。第１に、好適な多層ミラーの（２％未満の）拡散反射は、（５〜６％の拡散反射の）基板上へ銀のような金属を蒸着することにより作られたミラーより少ない。また、好適な多層ミラーは、可視スペクトルにわたって非常に平坦なスペクトル応答を有する。対照的に、銀蒸着ミラーは青より赤で多く反射する。したがって、螢光照明器具の色が見掛け上、変わる。多層ミラーは金属を含まないので、銀蒸着ミラーにて経験された孔食の問題は無くなる。次に、９２〜９３％の反射率を有する銀蒸着ミラーと比較して、好適な多層ミラーは９９％を超える高い反射率を有する。それに加えて、多層ミラーは、銀蒸着ミラーより低いコストで製作され得る。
【図面の簡単な説明】
【００６１】
【図１】図１は、本発明の偏光源の概略ブロック図である。
【図２】図２は、本発明の偏光源の動作を示す断面概略図である。
【図３Ａ】図３Ａは、反射型偏光エレメントがバルク光学部品によって実現された本発明の偏光源の断面概略図である。
【図３Ｂ】図３Ｂは、反射型偏光エレメントがバルク光学部品によって実現された本発明の偏光源の断面概略図である。
【図３Ｃ】図３Ｃは、反射型偏光エレメントがバルク光学部品によって実現された本発明の偏光源の断面概略図である。
【図４Ａ】図４Ａは、図３Ａおよび図３Ｂの実施例の動作を示す図である。
【図４Ｂ】図４Ｂは、図３Ａおよび図３Ｂの実施例の動作を示す図である。
【図５Ａ】図５Ａは、反射型偏光エレメントが、多層反射性複屈折偏光フィルムによって実現された本発明の偏光源の断面概略図である。
【図５Ｂ】図５Ｂは、反射型偏光エレメントが、多層反射性複屈折偏光フィルムによって実現された本発明の偏光源の断面概略図である。
【図５Ｃ】図５Ｃは、反射型偏光エレメントが、多層反射性複屈折偏光フィルムによって実現された本発明の偏光源の断面概略図である。
【図５Ｄ】図５Ｄは、反射型偏光エレメントが、多層反射性複屈折偏光フィルムによって実現された本発明の偏光源の断面概略図である。
【図６】図６は、好適な多層反射性偏光フィルムの拡大された断面図である。
【図７Ａ】図７Ａは、好適な多層反射性偏光フィルムおよび多層ミラーの性能を示すグラフである。
【図７Ｂ】図７Ｂは、好適な多層反射性偏光フィルムおよび多層ミラーの性能を示すグラフである。
【図７Ｃ】図７Ｃは、好適な多層反射性偏光フィルムおよび多層ミラーの性能を示すグラフである。
【図８Ａ】図８Ａは、偏光を導くための光ガイドによって構成した本発明の偏光源である。
【図８Ｂ】図８Ｂは、偏光を導くための光ガイドによって構成した本発明の偏光源である。
【図８Ｃ】図８Ｃは、偏光を導くための光ガイドによって構成した本発明の偏光源である。
【図８Ｄ】図８Ｄは、偏光を導くための光ガイドによって構成した本発明の偏光源である。
【図９】図９は、トランスフレクティブ(transflective) な光学的ディスプレイの構成における本発明の偏光源を示す図である。
【図１０Ａ】図１０Ａは、種々の作業照明配置における本発明の偏光源を示す図である。
【図１０Ｂ】図１０Ｂは、種々の作業照明配置における本発明の偏光源を示す図である。
【図１０Ｃ】図１０Ｃは、種々の作業照明配置における本発明の偏光源を示す図である。
【図１１Ａ】図１１Ａは、螢光照明器具における本発明の偏光源を示す図である。
【図１１Ｂ】図１１Ｂは、螢光照明器具における本発明の偏光源を示す図である。
【図１】
2005346106.tif 000003
【図２】
2005346106.tif 000004
【図３Ａ】
2005346106.tif 000005
【図３Ｂ】
2005346106.tif 000006
【図３Ｃ】
2005346106.tif 000007
【図４Ａ】
2005346106.tif 000008
【図４Ｂ】
2005346106.tif 000009
【図５Ａ】
2005346106.tif 000010
【図５Ｂ】
2005346106.tif 000011
【図５Ｃ】
2005346106.tif 000012
【図５Ｄ】
2005346106.tif 000013
【図６】
2005346106.tif 000014
【図７Ａ】
2005346106.tif 000015
【図７Ｂ】
2005346106.tif 000016
【図７Ｃ】
2005346106.tif 000017
【図８Ａ】
2005346106.tif 000018
【図８Ｂ】
2005346106.tif 000019
【図８Ｃ】
2005346106.tif 000020
【図８Ｄ】
2005346106.tif 000021
【図９】
2005346106.tif 000022
【図１０Ａ】
2005346106.tif 000023
【図１０Ｂ】
2005346106.tif 000024
【図１０Ｃ】
2005346106.tif 000025
【図１１Ａ】
2005346106.tif 000026
【図１１Ｂ】
2005346106.tif 000027